(57)【要約】      （修正有）【課題】自転車用ヘルメット等において夜間等における周囲すなわち他の車両や歩行者等からの視認性を高め、それにより自他いずれにとっても安全性や安心感を高めることができ、さらにデザイン性にも優れたヘルメット用照明構造を提供する。【解決手段】ヘルメット用照明構造１０は、ヘルメットＨに取り付け可能な駆動ユニット１と、駆動ユニット１により作動する照明体３Ｌ、３Ｒとからなり、照明体３Ｌ等は長尺の形態によるものであってヘルメットＨの外周に装備可能である。なお、設ける照明体の数は限定されない。照明体３Ｌ等としては、ファイバー状やテープ状のものを用いることができる。【選択図】図１
2015166508.tif 000002
【特許請求の範囲】
【請求項１】
ヘルメットに取り付け可能な駆動ユニットと、該駆動ユニットにより作動する照明体とからなるヘルメット用照明構造であって、該照明体は長尺の形態によるものであってヘルメットの外周に装備可能であることを特徴とする、ヘルメット用照明構造。
【請求項２】
前記照明体にはファイバー状のもの（管状のものを含む。以下同様。）が用いられることを特徴とする、請求項１に記載のヘルメット用照明構造。
【請求項３】
前記照明体にはテープ状のものが用いられることを特徴とする、請求項１に記載のヘルメット用照明構造。
【請求項４】
前記駆動ユニットはヘルメットのエアーベントホールに取り付け可能であることを特徴とする、請求項１ないし３のいずれかに記載のヘルメット用照明構造。
【請求項５】
前記照明体は２系統以上設けられていることを特徴とする、請求項１ないし４のいずれかに記載のヘルメット用照明構造。
【請求項６】
前記照明体はヘルメットのサイズや形状に合わせた長さに調節可能であることを特徴とする、請求項１ないし５のいずれかに記載のヘルメット用照明構造。
【請求項７】
前記駆動ユニットは前記照明体の点灯状態を制御する制御部、電源およびスイッチを備えて構成されることを特徴とする、請求項１ないし６のいずれかに記載のヘルメット用照明構造。
【請求項８】
前記点灯状態の制御は、（ア）点灯・消灯・点滅のモード切替えの制御であることを特徴とする、請求項７に記載のヘルメット用照明構造。
【請求項９】
前記点灯状態の制御には、（イ）点滅によるモーション変化、または（ウ）点灯色の選択・変化、の少なくともいずれかの制御が含まれることを特徴とする、請求項７または８に記載のヘルメット用照明構造。
【請求項１０】
前記駆動ユニットには、前記スイッチ操作時に音声表示するための音声表示部が備えられていることを特徴とする、請求項７ないし９のいずれかに記載のヘルメット用照明構造。
【請求項１１】
ヘルメット製品に後付け可能であることを特徴とする、請求項１ないし１０のいずれかに記載のヘルメット用照明構造。
【請求項１２】
請求項１ないし１１のいずれかに記載のヘルメット用照明構造が組み込まれてなる、照明構造付きヘルメット。
【発明の詳細な説明】
【技術分野】
【０００１】
本発明はヘルメット用照明構造および照明構造付きヘルメットに係り、特に、自転車用ヘルメット等において周囲からの視認性を高め、それにより自他いずれにとっても安全性や安心感を高めることのできる、ヘルメット用照明構造および照明構造付きヘルメットに関する。
【背景技術】
【０００２】
自転車用ヘルメットについては従来、多くの技術的提案がなされている。このうち、たとえば後掲特許文献１には、２輪車の他車による後方からの視認性を高め、夜間・制動時・停止時の安全性を向上させることを目的として、ヘルメット上に車両の制動灯と遠隔的に接続され連動する手段を設けたヘルメット用制動灯ユニットを取り付けた構成が開示されている。
【０００３】
また特許文献２には、夜間工事作業者や登山者等の位置を確実かつ容易に視認できる安全ヘルメットとして、ヘルメット本体の頭頂部に設けた信号灯と、これに電力を供給するバッテリユニットと、信号灯保護用の透明キャップとを備えたヘルメットが開示されている。
【先行技術文献】
【特許文献】
【０００４】
【特許文献１】特開平１０−１６８６３６号公報「ヘルメット用制動灯ユニット」
【特許文献２】実開平７−３１８２６号公報「安全ヘルメット」
【発明の概要】
【発明が解決しようとする課題】
【０００５】
しかし特許文献１開示技術は、車両の制動がなされた際にのみ、すなわちヘルメット着用者が制動判断してこれが実行された時にのみこれと連動してヘルメット上の制動灯が作動・点灯するものであり、視認性を高めるための作用としては十分なものではない。
【０００６】
また特許文献２開示技術は、その目的たる夜間工事作業者や遭難を回避したい登山者等における視認性確保に基づき、ヘルメットの頭頂部に信号灯を設けたものであるため、これを自転車用ヘルメットにそのまま用いるにはデザイン性の点で改良の余地が大いにある。
【０００７】
そこで本発明の課題は、これら従来技術の問題点を踏まえ、自転車用ヘルメット等において夜間等における周囲すなわち他の車両や歩行者等からの視認性を高め、それにより自他いずれにとっても安全性や安心感を高めることができ、さらにデザイン性にも優れた、ヘルメット用照明構造および照明構造付きヘルメットを提供することである。
【課題を解決するための手段】
【０００８】
上記課題について検討した結果、本願発明者は、ファイバー状等長尺の形態の照明体を用いることによって課題解決できることに想到し、これを基礎として本発明を完成するに至った。すなわち、上記課題を解決するための手段として本願で特許請求される発明、もしくは少なくとも開示される発明は以下の通りである。
【０００９】
〔１〕  ヘルメットに取り付け可能な駆動ユニットと、該駆動ユニットにより作動する照明体とからなるヘルメット用照明構造であって、該照明体は長尺の形態によるものであってヘルメットの外周に装備可能であることを特徴とする、ヘルメット用照明構造。
〔２〕  前記照明体にはファイバー状のもの（管状のものを含む。以下同様。）が用いられることを特徴とする、〔１〕に記載のヘルメット用照明構造。
〔３〕  前記照明体にはテープ状のものが用いられることを特徴とする、〔１〕に記載のヘルメット用照明構造。
【００１０】
〔４〕  前記駆動ユニットはヘルメットのエアーベントホールに取り付け可能であることを特徴とする、〔１〕ないし〔３〕のいずれかに記載のヘルメット用照明構造。
〔５〕  前記照明体は２系統以上設けられていることを特徴とする、〔１〕ないし〔４〕のいずれかに記載のヘルメット用照明構造。
〔６〕  前記照明体はヘルメットのサイズや形状に合わせた長さに調節可能であることを特徴とする、〔１〕ないし〔５〕のいずれかに記載のヘルメット用照明構造。
〔７〕  前記駆動ユニットは前記照明体の点灯状態を制御する制御部、電源およびスイッチを備えて構成されることを特徴とする、〔１〕ないし〔６〕のいずれかに記載のヘルメット用照明構造。
【００１１】
〔８〕  前記点灯状態の制御は、（ア）点灯・消灯・点滅のモード切替えの制御であることを特徴とする、〔７〕に記載のヘルメット用照明構造。
〔９〕  前記点灯状態の制御には、（イ）点滅によるモーション変化、または（ウ）点灯色の選択・変化、の少なくともいずれかの制御が含まれることを特徴とする、〔７〕または〔８〕に記載のヘルメット用照明構造。
〔１０〕  前記駆動ユニットには、前記スイッチ操作時に音声表示するための音声表示部が備えられていることを特徴とする、〔７〕ないし〔９〕のいずれかに記載のヘルメット用照明構造。
〔１１〕  ヘルメット製品に後付け可能であることを特徴とする、〔１〕ないし〔１０〕のいずれかに記載のヘルメット用照明構造。
〔１２〕  〔１〕ないし〔１１〕のいずれかに記載のヘルメット用照明構造が組み込まれてなる、照明構造付きヘルメット。
【発明の効果】
【００１２】
本発明のヘルメット用照明構造および照明構造付きヘルメットはこのように構成されるため、これによれば、自転車用ヘルメット等において夜間等における周囲すなわち他の車両や歩行者等からの視認性を十分に高めることができ、それにより自他いずれにとっても安全性や安心感を十分に高めることができる。しかもデザイン性にも優れたものを提供することができ、自転車等用のヘルメットとして実用性が高い。
【００１３】
本発明のヘルメット用照明構造および照明構造付きヘルメットは主として自転車等２輪車用ヘルメットを想定したものだが、本発明の用途がこれに限定されるものではない。たとえば、スキー・スケート・リュージュ・ボブスレー・スケルトン・モータースポーツ・その他のスポーツ用途も発明の範囲内である。また、建設工事・鉱業分野・登山用など、用途を限定せずに広く用いることができる。
【図面の簡単な説明】
【００１４】
【図１】本発明のヘルメット用照明構造の基本構成を示す概念図である。
【図２】本発明ヘルメット用照明構造の第一実施例を示す写真図である。
【図３】本発明ヘルメット用照明構造の第二実施例を示す写真図である。
【図４】本発明ヘルメット用照明構造の構成例を示す写真図である。
【図５】本発明ヘルメット用照明構造の各種配置構成例を示す説明図である。
【図６】本発明ヘルメット用照明構造の各種配置構成例を示す説明図である。
【図７】本発明のヘルメット用照明構造の機能構成を示すブロック図である。
【図８】第一実施例の正六面図である。
【図９】第二実施例の正六面図である。
【発明を実施するための形態】
【００１５】
本発明について、図面を用いてさらに詳細に説明する。
図１は、本発明のヘルメット用照明構造の基本構成を示す概念図である。図示するように本ヘルメット用照明構造１０は、ヘルメットＨに取り付け可能な駆動ユニット１と、駆動ユニット１により作動する照明体３Ｌ、３Ｒとからなり、照明体３Ｌ等は長尺の形態によるものであってヘルメットＨの外周に装備可能であることを、主たる構成とする。
【００１６】
なお本図では、照明体として３Ｌ、３Ｒの２つを示しているが、これは一例であり、後述するように設ける照明体の数は限定されない。また、長尺形態の照明体３Ｌ等は、ヘルメットＨ上でその外周に装着できるような弾性もしくは可撓性を備えた材質のものを用いるか、またはヘルメットＨ上でその外周に装着できるような形態を備えたものを用いればよい。
【００１７】
かかる構成により本発明ヘルメット用照明構造１０は、駆動ユニット１がヘルメットＨに取り付けられ、また長尺の形態である照明体３Ｌ等はヘルメットＨの外周に装備されて用いられる。照明体３Ｌ等は駆動ユニット１により作動し、ヘルメットＨ上において照明体３Ｌ等の点灯や消灯がなされる。これにより、本ヘルメット用照明構造１０の装着されたヘルメットＨの装着によって、所期の目的である視認性を十分に発揮することができる。
【００１８】
たとえば自転車用に用いる場合には、夜間走行時において他の車両や歩行者に対して自己の存在を明確に知らせることができ、双方にとっての安全性、安心性を高めることができる。その上、後述するように装飾性、デザイン性も高めることができる。
【００１９】
図２は、本発明ヘルメット用照明構造の第一実施例を示す写真図である。図示するように本ヘルメット用照明構造２１０では、照明体２３としてファイバー状のものを用いるものとすることができる。ファイバー状のものとしては特に、ヘルメット２Ｈ上でその外周に装着できるような弾性または可撓性を備えた材質ものを用いることができる。たとえばアクリル樹脂製のものは、好適に使用可能である。
【００２０】
ファイバー状のものは、ヘルメット２Ｈ上に装着された際にさほど嵩高くならず、重量増加もさほど無く、また自転車等走行時にもさほど空気抵抗を加えないため、好ましい。なおファイバー状の照明体としては、光ファイバーやファイバーライトガイドを使用可能なことはもちろん、透明なチューブ等、光ファイバー以外のものも使用可能である。つまり本発明の「ファイバー状」には、中実のものの他、中空のものすなわち管構造のものも含む。
【００２１】
ファイバー状の照明体２３はまた、自転車用、スポーツ用、あるいはその他の用途においても、ヘルメット２Ｈに対して付加される装飾としての機能も発揮することができる。図では、１本の照明体２３を流線形状に形成し、ヘルメット２Ｈ外周の左側部から後部へかけて装着する例を示しているが、本発明がこれに限定されるものではない。１本をさらに異なる形状に形成したり、複数本を用いたり、またそれによって模様を形成する等、装着される際の照明体の形態は如何様にも自由に設計できる。
【００２２】
図３は、本発明ヘルメット用照明構造の第二実施例を示す写真図である。図示するように本ヘルメット用照明構造３１０では、  照明体３３としてテープ状のものを用いるものとすることができる。たとえば図の例のように、テープ状の媒体中に複数のＬＥＤ等の光源３３ａ、３３ｂ、・・・が設けられている照明体３３１を、好適に用いることができる。
【００２３】
テープ状のものは、ヘルメット３Ｈ上に装着された際にさほど嵩高くならず、重量増加もさほど無く、また自転車等走行時にもさほど空気抵抗を加えないため、好ましい。テープ状の照明体３３はまた、自転車用、スポーツ用、あるいはその他の用途においても、ヘルメット３Ｈに対して付加される装飾としての機能も発揮することができる。
【００２４】
図では、１本の照明体３３を流線形状に形成し、ヘルメット３Ｈ外周の左側部から後部へかけて装着する例を示しているが、本発明がこれに限定されるものではない。１本をさらに異なる形状に形成したり、複数本を用いたり、またそれによって模様を形成する等、装着される際の照明体の形態は如何様にも自由に設計できる。本例のように光源３３ａ、３３ｂ等を設けたテープ状照明体３３を用いる場合は、後述するように点灯・点滅のみならずモーションすなわち動的な照明を実現することができ、視認性およびデザイン性をさらに高めることができる。
【００２５】
図４は、本発明ヘルメット用照明構造の構成例を示す写真図である。図示するように本ヘルメット用照明構造４１０は、駆動ユニット４１をヘルメット４Ｈのエアーベントホール４Ｖａ等に取り付け可能な形態に形成したものとすることができる。かかる構成のヘルメット用照明構造４１０によれば、ヘルメット４Ｈ上に装着された際にさほど嵩高くならず、また自転車等走行時にもさほど空気抵抗を加えないため、好ましい。
【００２６】
なお、駆動ユニット４１のエアーベントホール４Ｖａ等への取付方法は、係止部等を設けて脱着可能に嵌め込む方法、接着剤等により固定する方法など、適宜の方法を採ることができる。
【００２７】
図５、６は、本発明ヘルメット用照明構造の各種配置構成例を示す説明図であり、前者は平面図、後者は側面図にて示した。また各図とも、左方をヘルメットの前方とする。図中の（Ａ）、（Ｅ）に示すように本ヘルメット用照明構造５１０Ａ等は、その照明体５３Ａ等を１系統のみとしてもよい。また、（Ｂ）、（Ｃ）、（Ｄ）、（Ｆ）のように２系統以上設けることとしてもよい。すなわち本発明は、設ける照明体の系統数に制限されない。
【００２８】
また（Ａ）、（Ｅ）のように、駆動ユニット５１Ａ等がヘルメット５Ｈの後部に配置して取り付けられるものとすることができる。また（Ｂ）、（Ｆ）のように、ヘルメット５Ｈの前部に配置させることも、（Ｃ）のように頭頂部に配置させることも、（Ｄ）のように側部に配置させることもできる。すなわち本発明は、駆動ユニットの取付位置に制限されない。
【００２９】
また（Ａ）〜（Ｃ）、（Ｅ）、（Ｆ）のように、ヘルメット用照明構造５１０Ａ等を対称的な配置構成としてもよいし、一方（Ｄ）のように、非対称的な配置構成としてもよい。
【００３０】
さらに（Ａ）〜（Ｄ）のように、ヘルメット用照明構造５１０Ａ等を、その構成の全部がヘルメット５Ｈの表面上に設けられた形態としてもよいし、一方（Ｅ）、（Ｆ）のように、一部ヘルメット５Ｈから離れた箇所のある形態としてもよい。
【００３１】
また照明体は、予め（Ａ）等に例示するような形態に形成されたものをヘルメット５Ｈに装着する方式にしてもよいし、一方、使用時に適宜、ヘルメット５Ｈのサイズまたは形状に合わせた長さや形態に調節可能なものとしてもよい。
【００３２】
また、各図の（Ａ）等に示した例はいずれも、照明体５３Ａ等は駆動ユニット５１Ａ等に設けられた直鎖状（１本）であるが、途中で適宜の副系統数に分岐する形態とすることもできる。
【００３３】
図７は、本発明のヘルメット用照明構造の機能構成を示すブロック図である。このうち（Ａ）は、ファイバー状の照明体６３を有する例のブロック図である。図示するように本ヘルメット用照明構造の駆動ユニット６１は、照明体６３の点灯状態を制御する制御回路等の制御部６８、スイッチ６７、光源６９、および電源（図示せず）を備えて構成されるものとすることができる。
【００３４】
このようにファイバー状の照明体６３を有するヘルメット用照明構造の場合は、照明体６３において照明機能をなさしめる光源６９を、駆動ユニット６１内に、またはそれと照明体６３との間に設けることができる。かかる構成で照明体６３は照明として機能できる。
【００３５】
一方、図中（Ｂ）は、テープ状の照明体７３のように照明体中に光源を有する例のブロック図である。図示するように本ヘルメット用照明構造の駆動ユニット７１は、照明体７３の点灯状態を制御する制御回路等の制御部７８、スイッチ７７、および電源（図示せず）を備えて構成されるものとすることができる。なお光源６９は、照明体７３の中に設けられるが、複数設けるものとすることもできる。
【００３６】
このようにテープ状の照明体７３を有するヘルメット用照明構造の場合は、照明体７３において照明機能をなさしめる光源７９は照明体７３内に設けられ、制御部７８による制御を受けて光源７９が点灯され、かかる構成で照明体７３は照明として機能できる。
【００３７】
なお（Ａ）、（Ｂ）いずれの場合でも、電源としては電池を好適に使用することができる。また、電源は外部から充電可能な機能を備えることが、さらに望ましい。また制御部には、制御回路の他にＣＰＵやソフトウェアを用いてもよい。
【００３８】
なおまた以上の説明では、ファイバー状の照明体を有するヘルメット用照明構造では光源が駆動ユニット中、一方テープ状の照明体を有する場合には光源が照明体中に備えられた構成を述べた。しかしながら、ファイバー状の照明体であってもその内部に一または複数の光源を備えた構成とすることや、テープ状の照明体であっても光源が駆動ユニット側に備えられた構成とすることが、本発明から除外されるものではない。
【００３９】
制御部６８等による点灯状態の制御は、少なくとも点灯・消灯切り替えの制御を含み、また点滅のモードへの切替え制御を備えることとしてもよい。また、これらに加え、点灯色の選択や自動的な変化の制御も備えたものとしてもよい。また、照明体中に光源を備えたヘルメット用照明構造の場合には、点灯状態の制御に、点滅によるモーション変化制御が備えられたものとしてもよい。
【００４０】
なお、駆動ユニット６１等には、スイッチ６７等操作時に音声表示するための音声表示部（図示せず）を設ける構成とすることもできる。音声表示部は従来公知の回路構成、その他の音声表示用の構造を用いればよい。これにより、スイッチ操作が確実になされて点灯・消灯等のモードへの切り替えのなされたか否かを、ヘルメット使用者が聴覚的に確認できるため、便利である。
【００４１】
なお、どのモードに切り替わったのかが確認できるよう、少なくとも点灯と消灯のスイッチ操作での音声は、異なるものとすることが望ましい。また、音声の内容は、単音、メロディー、言語、その他いかなるものであってもよい。
【００４２】
図８、９にそれぞれ、上述した第一実施例、第二実施例の正六面図を示す。いずれも、上段には平面図、中段には左から左側面図、正面図、右側面図、はい面図、下段には底面図を示す。
【００４３】
本発明のヘルメット用照明構造は、既存のヘルメット製品に後付け可能なもの、すなわち装飾パーツ、あるいはキットの形態で提供することができる他、最初からヘルメットに組み込まれた形態で提供することもできる。後者の場合は、照明構造付きヘルメットとなる。
【産業上の利用可能性】
【００４４】
本発明のヘルメット用照明構造および照明構造付きヘルメットによれば、自転車用ヘルメット等において夜間等における周囲からの視認性を十分に高め、安全性や安心感を高めることができ、しかもデザイン性に優れたものを提供できる。したがって、自転車製造、スポーツ用品製造、建設・土木・鉱業、その他関連する広範な産業分野において、利用性の高い発明である。
【符号の説明】
【００４５】
１、４１、５１Ａ、５１Ｂ、５１Ｃ、５１Ｅ、５１Ｆ、６１、７１…駆動ユニット
３Ｌ、３Ｒ、２３、３３、４３、５３Ａ、５３Ｂ１、５３Ｂ２、５３Ｃ１、５３Ｃ２、５３Ｃ３、５３Ｃ４、５３Ｄ１、５３Ｄ２、５３Ｅ、５３Ｆ１、５３Ｆ２、６３、７３…照明体
３３ａ、３３ｂ、３３ｃ、３３ｋ、３３ｌ…光源（テープ状の照明体における）
６７、７７…スイッチ
６８、７８…制御部（制御回路）
６９、７９…光源
１０、２１０、３１０、４１０、５１０Ａ、５１０Ｂ、５１０Ｃ、５１０Ｄ、５１０Ｅ、５１０Ｆ…ヘルメット用照明構造
Ｈ、２Ｈ、３Ｈ、４Ｈ、５Ｈ…ヘルメット
４Ｖａ、４Ｖｂ、４Ｖｃ、４Ｖｄ…エアーベントホール
【図１】
2015166508.tif 000003
【図４】
2015166508.tif 000004
【図５】
2015166508.tif 000005
【図６】
2015166508.tif 000006
【図７】
2015166508.tif 000007
【図２】
2015166508.tif 000008
【図３】
2015166508.tif 000009
【図８】
2015166508.tif 000010
【図９】
2015166508.tif 000011